(57)【要約】【課題】キッチンの間取りに拠らず、大画面でレシピや調理動画等の映像を容易に視認することが可能なレンジフードを提供する。【解決手段】本発明の一態様に係るレンジフードは、加熱調理器具と対向する側の面である下面と、下面の反対側の面である上面とを有するフード本体と、フード本体の内部に配置され、かつ映像光を投射する映像投影手段とを備える。フード本体には、フード本体の内部に空気を導入する吸入口と、フード本体の内部から空気を吐出する吐出口とが設けられる。【選択図】図３
2018105520.tif 000002
【特許請求の範囲】
【請求項１】
加熱調理器と対向する側の面である下面と、前記下面の反対側の面である上面とを有するフード本体と、
前記フード本体の内部に配置され、かつ映像光を投射する映像投影手段とを備え、
前記フード本体には、前記フード本体の内部に空気を導入する吸入口と、前記フード本体の内部から空気を吐出する吐出口とが設けられる、レンジフード。
【請求項２】
前記吸入口は前記上面に設けられ、
前記吐出口は前記下面に設けられる、請求項１に記載のレンジフード。
【請求項３】
前記フード本体の内部には、前記吸入口に接続し、油及び埃をトラップするトラップ機構が設けられており、
前記トラップ機構の内部には、前記吸入口から前記下面に向かう方向に延在する第１部分と、前記下面から前記上面に向かう方向に延在する第２部分と、前記第１部分と前記第２部分とを接続する第３部分とにより構成される空気の流路が設けられる、請求項２に記載のレンジフード。
【請求項４】
前記フード本体は、前記下面が前記上面から前記下面に向かう方向に周囲から突出するように形成された突出部を有し、
前記映像投影手段は、前記映像光を投射する側が前記突出部の内部に位置することで、前記フード本体の内部において傾斜して配置される、請求項２に記載のレンジフード。
【請求項５】
前記下面には、前記映像光が通過する映像光出口が設けられ、
前記吐出口は、前記映像光出口よりも下方に配置される、請求項４に記載のレンジフード。
【請求項６】
前記下面との間に間隔を置いて配置される整流板をさらに備え、
前記映像光出口は、前記整流板よりも下方に設けられる、請求項５に記載のレンジフード。
【請求項７】
前記吸入口と前記吐出口は、前記映像投影手段を挟み込むように配置される、請求項１に記載のレンジフード。
【請求項８】
前記映像投影手段は、熱を発する発熱部を有し、
前記吸入口は、前記吸入口から前記フード本体の内部に導入される空気が前記発熱部に向かうように配置されたガイドを有する、請求項１に記載のレンジフード。
【請求項９】
前記フード本体の内部に配置され、かつ前記吸入口及び前記吐出口に接続されるダクトを備え、
前記映像投影手段は、前記ダクト内に配置される、請求項１に記載のレンジフード。
【請求項１０】
前記吸入口は、前記フード本体に設けられた複数の孔により構成される、請求項１に記載のレンジフード。
【請求項１１】
前記吸入口には、油及び埃の通過を妨げるフィルタが設けられる、請求項１に記載のレンジフード。
【請求項１２】
前記フード本体の内部に配置され、前記吸入口から前記フード本体の内部に空気を導入させるファンを備える、請求項１に記載のレンジフード。
【請求項１３】
前記映像投影手段はプロジェクタである、請求項１〜１２のいずれか１項に記載のレンジフード。
【発明の詳細な説明】
【技術分野】
【０００１】
本発明は、レンジフードに関する。より特定的には、プロジェクタが内蔵されたレンジフードに関する。
【背景技術】
【０００２】
近時、レシピや調理動画などの情報が、インターネット上に公開されている。このような情報は、調理時にスマートフォンやタブレット端末を用いて閲覧することが一般的である。しかしながら、スマートフォンやタブレット端末の画面サイズは大きくない場合が通例であるため、レシピや調理動画の情報を調理しながら視認しにくいという問題がある。
【０００３】
このような問題に対処するため、従来から、キッチンの天井にプロジェクタが配置されることが知られている。キッチンの天井に配置されるプロジェクタからは、加熱調理器具（ガスコンロ等）に隣接する作業スペース上等に、レシピや調理動画等の映像が投影される。
【０００４】
なお、レンジフードの内部に発熱する電気機器を配置する構造の例として、特開２０１３−１３７１５５号公報に記載の構造が知られている。
【先行技術文献】
【特許文献】
【０００５】
【特許文献１】特開２０１３−１３７１５５号公報
【発明の概要】
【発明が解決しようとする課題】
【０００６】
しかしながら、キッチンの天井に配置されたプロジェクタから加熱調理器具に隣接する作業スペース等に映像を投射することは、キッチンの間取りによっては、困難な場合がある。
【０００７】
本発明は、このような従来技術の問題点に鑑みてなされたものである。具体的には、本発明は、キッチンの間取りに拠らず、大画面でレシピや調理動画等の映像を容易に視認することが可能なレンジフードを提供するものである。
【課題を解決するための手段】
【０００８】
本発明の一態様に係るレンジフードは、加熱調理器具と対向する側の面である下面と、下面の反対側の面である上面とを有するフード本体と、フード本体の内部に配置され、かつ映像光を投射する映像投影手段とを備える。フード本体には、フード本体の内部に空気を導入する吸入口と、フード本体の内部から空気を吐出する吐出口とが設けられる。本発明の一態様に係るレンジフードによると、キッチンの間取りに拠らず、大画面でレシピや調理動画等の映像を容易に視認することが可能となる。また、本発明の一態様に係るレンジフードによると、映像投影手段の冷却を行うことが可能となる。
【０００９】
上記のレンジフードにおいて、吸入口は上面に設けられ、吐出口は下面に設けられていてもよい。この場合には、映像投影手段の冷却をより効率的に行うことが可能となる。また、この場合には、ファン等を用いることなく映像投影手段の冷却を行うことが可能となる。
【００１０】
上記のレンジフードにおいて、フード本体の内部には、吸入口に接続し、油及び埃をトラップするトラップ機構が設けられていてもよい。トラップ機構の内部には、吸入口から下面に向かう方向に延在する第１部分と、下面から上面に向かう方向に延在する第２部分と、第１部分と第２部分とを接続する第３部分とにより構成される空気の流路が設けられていてもよい。この場合には、フード本体の内部への油及び埃の侵入を抑制することが可能となる。
【００１１】
上記のレンジフードにおいて、フード本体は、突出部を有していてもよい。突出部は、下面が上面から下面に向かう方向に周囲から突出するように形成されていてもよい。映像投影手段は、映像光を投射する側が突出部におけるフード本体の内部に位置することで、フード本体の内部において傾斜して配置されていてもよい。この場合には、映像光の一部がフード本体により遮られてしまうことを抑制することが可能となる。
【００１２】
上記のレンジフードにおいて、下面には、映像光が通過する映像光出口が設けられていてもよい。吐出口は、映像光出口よりも下方に配置されていてもよい。この場合には、調理時に発生する油煙による映像光出口の汚濁を抑制することが可能となる。
【００１３】
上記のレンジフードは、下面との間で間隔を置いて配置される整流板をさらに備えていてもよい。映像光出口は、整流板よりも下方に設けられていてもよい。この場合には、調理時に発生する油煙による映像光出口の汚濁をさらに抑制することが可能となる。
【００１４】
上記のレンジフードにおいて、吸入口と吐出口は、映像投影手段を挟み込むように配置されていてもよい。この場合には、映像投影手段の冷却をより効率的に行うことが可能となる。
【００１５】
映像投影手段は、熱を発する発熱部を有し、吸入口は、吸入口からフード本体の内部に導入される空気が発熱部に向かうように配置されたガイドを有していてもよい。この場合には、映像投影手段の冷却をより効率的に行うことが可能となる。
【００１６】
上記のレンジフードは、フード本体の内部に配置され、かつ吸入口及び吐出口に接続されるダクトを備えていてもよい。映像投影手段は、ダクト内に配置されていてもよい。この場合には、映像投影手段の冷却をより効率的に行うことが可能となる。
【００１７】
上記のレンジフードにおいて、吸入口は、フード本体に設けられた複数の孔により構成されていてもよい。この場合には、フード本体の内部への虫等の侵入を抑制することが可能となる。
【００１８】
上記のレンジフードにおいて、吸入口には、油及び埃の通過を妨げるフィルタが設けられていてもよい。この場合には、吸入口を介した油及び埃のフード本体の内部への侵入を抑制することができる。
【００１９】
上記のレンジフードは、フード本体の内部に配置され、吸入口からフード本体の内部に空気を導入させるファンを備えていてもよい。この場合には、映像投影手段の冷却をより効率的に行うことが可能となる。
【００２０】
上記のレンジフードにおいて、映像投影手段はプロジェクタであってもよい。この場合には、キッチンの間取りに拠らず、大画面でレシピや調理動画等の映像を容易に視認することが可能となる。また、この場合には、プロジェクタの冷却を行うことが可能となる。
【発明の効果】
【００２１】
本発明の一態様に係るレンジフードによると、キッチンの間取りに拠らず、大画面でレシピや調理動画等の映像を容易に視認することが可能となる。また、本発明の一態様に係るレンジフードによると、映像投影手段の冷却を行うことが可能となる。
【図面の簡単な説明】
【００２２】
【図１】実施形態１に係るレンジフードの側面図である。
【図２】実施形態１に係るレンジフードの正面図である。
【図３】図２のＩＩＩ−ＩＩＩにおける断面図である。
【図４】実施形態１に係るレンジフードの底面図である。
【図５】実施形態１の変形例１に係るレンジフードの断面図である。
【図６】実施形態１の変形例２に係るレンジフードの断面図である。
【図７】実施形態１の変形例３に係るレンジフードの断面図である。
【図８】実施形態２に係るレンジフードの断面図である。
【図９】実施形態３に係るレンジフードの断面図である。
【発明を実施するための形態】
【００２３】
以下に、本発明の実施形態について、図を参照して説明する。なお、各図中同一又は相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００２４】
（実施形態１）
以下に、実施形態１に係るレンジフードの構成を図１ないし７を参照して説明する。
【００２５】
図１ないし４に示すように、実施形態１に係るレンジフードは、フード本体１を有している。フード本体１は、加熱調理器具２の上方に所定の間隔を置いて配置されている。加熱調理器具２は、例えばガスコンロ、電磁誘導加熱調理器又はハロゲンヒータである。フード本体１は、例えばキッチンの壁面３ａに吊金具等を用いて取り付けられている。
【００２６】
フード本体１には、下面１ａと、上面１ｂと、側面とを有している。下面１ａは、フード本体１の加熱調理器具２に対向する側の面である。上面１ｂは、フード本体１の下面１ａの反対側の面である。上面１ｂは、別の観点からいえば、フード本体１の天井３ｂに対向する側の面である。側面は、下面１ａ及び上面１ｂの双方に連なっている。側面は、第１側面１ｃと、第２側面１ｄと、第３側面１ｅと、第４側面１ｆとにより構成される。第１側面１ｃは、壁面３ａに取り付けられる側の面である。第２側面１ｄは、第１側面１ｃの反対側の面である。第３側面１ｅ及び第４側面１ｆは、第１側面１ｃ及び第２側面１ｄの双方に連なる面である。フード本体１は、例えばカラー鋼板により形成されている。
【００２７】
実施形態１に係るレンジフードは、整流板４を有していてもよい。整流板４は、下面１ａとの間に間隔を置いて配置されている。整流板４は、下面１ａとの間で、フード本体１を下面１ａから上面１ｂに向かう方向に貫通する換気口（図示せず）に接続される換気流路１１を画している。実施形態１に係るレンジフードは、換気ファン６と、換気ダクト７とを有している。換気ファン６は、例えばシロッコファンである。換気ファン６は、換気ダクト７及び換気口に接続されている。換気ファン６は、換気流路１１及び換気口を介して加熱調理器具２上に配置されている鍋等から発生する油煙等を吸引し、換気ダクト７を介して外部に排出する。
【００２８】
実施形態１に係るレンジフードは、映像投影手段として、例えばプロジェクタ５を有している。プロジェクタ５は、好ましくは、レーザプロジェクタである。但し、プロジェクタ５は、液晶プロジェクタ、ＤＬＰ（Digital  Light  Processing）（登録商標）プロジェクタ等であってもよい。プロジェクタ５は、フード本体１の内部に配置されている。プロジェクタ５は、有線又は無線により取得した映像情報に基づいて、映像光５１を投射する。映像光５１は、例えば壁面３ａに向かって投射される。プロジェクタ５は、フード本体１の内部において、第２側面１ｄ側に配置されている。より具体的には、プロジェクタ５は、換気流路１１よりも第２側面１ｄ側に配置されている。プロジェクタ５は、第１側面１ｃと距離Ｌだけ離間して配置されている。距離Ｌは、加熱調理器具２の直上にプロジェクタ５が配置されることを避けるため、５００ｍｍ以上５５０ｍｍ以下であることが好ましい。プロジェクタ５は、実施形態１に係るレンジフードの右勝手、左勝手の違いを無くすため、第３側面１ｅ及び第４側面１ｆの中間に配置されていることが好ましい。
【００２９】
フード本体１には、映像光出口１２が設けられている。映像光出口１２が設けられている位置において、フード本体１は開口しており、当該開口は、ガラス等の透明部材により覆われている。映像光出口１２は、下面１ａに設けられている。映像光５１の投射は、映像光出口１２を介して行われる。
【００３０】
フード本体１には、吸入口１３と、吐出口１４とが設けられている。吸入口１３は、好ましくは上面１ｂに設けられている。吸入口１３は、第２側面１ｄに設けられていてもよい。吐出口１４は、好ましくは下面１ａに設けられている。
【００３１】
吸入口１３及び吐出口１４は、好ましくはプロジェクタ５を挟み込むように配置されていることが好ましい。すなわち、吸入口１３と吐出口１４とを結んだ直線上にプロジェクタ５が配置されるように、吸入口１３及び吐出口１４が配置されることが好ましい。吸入口１３及び吐出口１４は、プロジェクタ５の上面及び底面を挟み込んでいてもよい。吸入口１３及び吐出口１４は、プロジェクタ５の側面を挟み込んでいてもよい。吸入口１３及び吐出口１４は、プロジェクタ５を対角上に挟み込んでいてもよい。
【００３２】
図５に示すように、吸入口１３は、複数の孔１３ａにより構成されていてもよい。孔１３ａの内径は、虫等が侵入できない範囲で可能な限り大きいことが好ましい。より具体的には、孔１３ａの内径は、２ｍｍ以上５ｍｍ以下であることが好ましい。
【００３３】
図６に示すように、吸入口１３には、ガイド１３ｂが設けられていてもよい。ガイド１３ｂは、プロジェクタ５の発熱部５２に向かって延在している。発熱部５２は、例えばプロジェクタ５の光源が配置されている部分である。
【００３４】
図７に示すように、フード本体１の内部には、トラップ機構１３ｃが設けられていてもよい。トラップ機構１３ｃは、吸入口１３に接続されている。トラップ機構１３ｃの内部には、流路１３ｃａが設けられている。流路１３ｃａは、吸入口１３から下面１ａに向かって延在する第１部分１３ｃｂと、下面１ａから上面１ｂに向かって延在する第２部分１３ｃｃと、第１部分１３ｃｂと第２部分１３ｃｃとを接続する第３部分１３ｃｄとにより構成されている。
【００３５】
図３に示すように、実施形態１に係るレンジフードは、フィルタ８をさらに有していてもよい。フィルタ８は、吸入口１３に配置される。フィルタ８は、埃や油等の通過を妨げるように構成されている。フィルタ８は、例えばメッシュ状の部材である。但し、フィルタ８はこれに限られるものではない。例えば、吸入口１３にガラリ加工を施すことによりフィルタ８としてもよい。
【００３６】
吸入口１３からは、フード本体１の内部に空気が導入される。この空気は、吐出口１４から吐出される。この空気により、フード本体１の内部に配置されたプロジェクタ５が冷却される。吸入口１３からフード本体１の内部への空気の導入は、例えば吐出口１４と吸入口１３との圧力差を用いて行ってもよい。吸入口１３からフード本体１の内部への空気の導入は、フード本体１の内部に設けられた冷却ファン１５を用いて行ってもよい。冷却ファン１５は、例えばシロッコファンやプロペラファンである。
【００３７】
以下に、実施形態１に係るレンジフードの効果について説明する。
実施形態１に係るレンジフードにおいては、プロジェクタ５がフード本体１の内部に配置される。すなわち、プロジェクタ５の配置場所を、キッチンに不可欠なレンジフードの内部に設けることができる。そのため、実施形態１に係るレンジフードによると、キッチンの間取りに拠らず、大画面でレシピや調理動画等の映像を容易に視認することが可能となる。
【００３８】
実施形態１に係るレンジフードにおいては、フード本体１に吸入口１３及び吐出口１４が設けられている。プロジェクタ５を冷却するための空気は、吸入口１３からフード本体１の内部に導入され、吐出口１４から排出される。そのため、実施形態１に係るレンジフードによると、プロジェクタの冷却を行うことが可能となる。
【００３９】
下面１ａ側は、換気ファン６により加熱調理器具２上に配置されている鍋等から発生する油煙等が吸引されているため、圧力が上面１ｂ側よりも低くなっている。実施形態１に係るレンジフードにおいて、吸入口１３が上面１ｂに設けられ、吐出口１４が下面１ａに設けられている場合、下面１ａ側と上面１ｂ側の圧力差により、ファン等を別途用いることなく、吸入口１３からフード本体１の内部へ、プロジェクタ５を冷却するための空気を導入することが可能となる。
【００４０】
上面１ｂ側は、下面１ａ側よりも加熱調理器具２から離れているため、温度が低くなっている。そのため、実施形態１に係るレンジフードにおいて、吸入口１３が上面１ｂに設けられ、吐出口１４が下面１ａに設けられている場合、吸入口１３からフード本体１の内部へ、より温度の低い空気を導入することが可能となる。すなわち、この場合には、プロジェクタの冷却をより効率的に行うことが可能となる。
【００４１】
実施形態１に係るレンジフードにおいて、吸入口１３及び吐出口１４がプロジェクタ５を挟み込むように配置されている場合、吸入口１３から導入され吐出口１４から吐出されるまでの空気の経路上にプロジェクタ５が配置されていることになる。そのため、この場合には、吸入口１３から導入される空気によりプロジェクタをより効率的に冷却することが可能となる。
【００４２】
実施形態１に係るレンジフードにおいて、吸入口１３が複数の孔１３ａにより構成されている場合、虫等がフード本体１の内部に侵入することを抑制することができる。実施形態１に係るレンジフードにおいて、吸入口１３にフィルタ８が設けられている場合、油や埃のフード本体内部への侵入を抑制することが可能となる。
【００４３】
実施形態１に係るレンジフードにおいて、プロジェクタ５が発熱部５２を有し、吸入口１３にガイド１３ｂが設けられている場合、吸入口１３から導入される空気が発熱部５２付近に集中的に供給される。そのため、この場合には、プロジェクタ５をより効率的に冷却することが可能となる。
【００４４】
フード本体１の内部においてトラップ機構１３ｃが設けられている場合、吸入口１３から導入された空気は、第１部分１３ｃｂ内を流れる。空気中に含まれる油や埃等は、空気よりも重い。そのため、吸入口１３から導入された空気に含まれる油や埃等は第２部分１３ｃｃに流れずに第３部分１３ｃｄにたまる一方、吸入口１３から導入された空気は、第２部分１３ｃｃ内を流れる。したがって、実施形態１に係るレンジフードにおいて、フード本体１の内部にトラップ機構１３ｃが設けられている場合、フード本体１の内部への油及び埃の侵入を抑制することが可能となる。
【００４５】
実施形態１に係るレンジフードにおいて、フード本体１の内部に冷却ファン１５を配置する場合には、吸入口１３からプロジェクタ５を冷却するための空気を強制的に導入することができる。そのため、この場合には、プロジェクタ５をより効率的に冷却することが可能となる。
【００４６】
（実施形態２）
以下に、実施形態２に係るレンジフードの構成について、図８を参照して説明する。なお、以下においては、実施形態１と異なる点について主に説明し、重複する説明は繰り返さないものとする。
【００４７】
図８に示すように、実施形態２に係るレンジフードは、フード本体１と、整流板４と、プロジェクタ５とを有している。プロジェクタ５は、フード本体１の内部に配置されている。フード本体１は、映像光出口１２と、吸入口１３と、吐出口１４とを有している。これらの点において、実施形態２に係るレンジフードは、実施形態１にかかるレンジフードと共通している。
【００４８】
実施形態２に係るレンジフードは、冷却ダクト９を備えている。この点において、実施形態２に係るレンジフードは、実施形態１に係るレンジフードと異なっている。冷却ダクト９は、フード本体１の内部に配置されている。冷却ダクト９は、吸入口１３及び吐出口１４に接続されている。冷却ダクト９内には、プロジェクタ５が配置されている。冷却ダクト９は、不燃性材料により形成されている。冷却ダクト９は、例えば金属材料により形成される。なお、不燃性であれば、樹脂材料等を用いることも可能である。
【００４９】
以下に、実施形態２に係るレンジフードの効果について説明する。
レンジフード内に冷却ダクト９が設けられてない場合、吸入口１３から導入された空気がフード本体１内部で拡がる。そのため、吸入口１３から導入された空気の一部は、プロジェクタ５の冷却にあまり寄与しない。
【００５０】
他方で、レンジフード内に冷却ダクト９が設けられている場合、吸入口１３から導入された空気が流れる範囲は冷却ダクト９により画されるため、吸入口１３から導入された空気は、フード本体１内部で拡がらない。そのため、吸入口１３から導入された空気の殆どは、プロジェクタ５の冷却に寄与する。したがって、実施形態２に係るレンジフードによると、プロジェクタ５の冷却をより効率的に行うことが可能となる。
【００５１】
（実施形態３）
以下に、実施形態３に係るレンジフードの構成について説明する。以下においては、実施形態１に係るレンジフードと異なる点について主に説明し、同様の説明は繰り返さないものとする。
【００５２】
図９に示すように、実施形態３に係るレンジフードは、フード本体１と、整流板４と、プロジェクタ５とを有している。プロジェクタ５は、フード本体１の内部に配置されている。フード本体１は、映像光出口１２と、吸入口１３と、吐出口１４とを有している。これらの点において、実施形態３に係るレンジフードは、実施形態１に係るレンジフードと共通している。
【００５３】
実施形態３に係るレンジフードにおいて、フード本体１は、突出部１６を有している。図９に示すように、突出部１６は下面１ａ側に設けられている。突出部１６において、下面１ａは、上面１ｂから下面１ａに向かう方向に周囲から突出している。すなわち、突出部１６に位置する下面１ａは、突出部１６を取り囲んでいる下面１ａよりも上面１ｂから下面１ａに向かう方向に突出している。突出部１６は、上面１ｂ側に設けられていてもよい。この場合、突出部１６において、上面１ｂは、下面１ａから上面１ｂに向かう方向に周囲から突出している。
【００５４】
突出部１６におけるフード本体１の内部には、プロジェクタ５の一部が配置される。より具体的には、突出部１６が下面１ａ側に設けられている場合、プロジェクタ５は、映像光５１を投射する側が突出部１６の内部に位置することで、フード本体１の内部において傾斜して配置されている。他方、突出部１６が上面１ｂ側に設けられている場合、プロジェクタ５は、映像光５１を投射する側の反対側が突出部１６の内部に位置することで、フード本体１の内部で傾斜して配置されている。これらの点において、実施形態３に係るレンジフードは、実施形態１に係るレンジフードと異なっている。
【００５５】
突出部１６が下面１ａに設けられている場合、吐出口１４は、映像光出口１２よりも下方に配置されていることが好ましい。映像光出口１２は、整流板４よりも下方に配置されていることが好ましい。
【００５６】
以下に、実施形態３に係るレンジフードの効果について説明する。
映像光５１が整流板４等により遮られてしまうことを防ぐためには、プロジェクタ５をフード本体１の内部で傾斜させて配置することが有効である。しかしながら、フード本体１に突出部１６が設けられていない場合、フード本体１の高さ（下面１ａと上面１ｂとの間の距離）を大きくしない限り、フード本体１内においてプロジェクタ５を大きく傾斜して配置することは困難である。
【００５７】
他方で、フード本体１が突出部１６を有している場合、プロジェクタ５の一部（突出部１６が下面１ａ側に設けられている場合には、映像光５１を投射する側、突出部１６が上面１ｂ側に設けられている場合には、映像光５１を投射する側の反対側）が突出部１６の内部に位置することで、プロジェクタ５をフード本体１の内部で傾斜して配置することができる。そのため、実施形態３に係るレンジフードによると、映像光５１が整流板４等により遮られてしまうことを抑制することが可能となる。
【００５８】
実施形態３に係るレンジフードにおいて、映像光出口１２が整流板４よりも下方に位置している場合には、映像光５１が整流板４により遮られてしまうことをさらに抑制することができる。
【００５９】
吐出口１４から吐出された空気は、換気ファン６により、換気流路１１及び換気口を経由して、外部に排出される。吐出口１４が映像光出口１２よりも下方にある場合、この際に、吐出口１４から排出された空気が、映像光出口１２上を流れる（吐出口１４から排出される空気の流れは、図９中において矢印で示されている）。これにより、加熱調理器具２上に配置される鍋等から発生した油煙等が映像光出口１２を覆っているガラス等に接触することを妨げる。そのため、実施形態３に係るレンジフードにおいて吐出口１４が映像光出口１２の下方に設けられている場合、映像光出口１２を覆っているガラス等の油煙等による汚濁を抑制することが可能となる。
【００６０】
整流板４は、下面１ａとの間で換気流路１１を画している。そのため、吐出口１４及び映像光出口１２が整流板４よりも下方に位置している場合、吐出口１４は換気流路１１の外部に配置されることになる。換気流路１１の外部は、換気流路１１の内部と比較して、空気の流れの乱れが小さい。したがって、吐出口１４及び映像光出口１２が整流板４よりも下方に位置し、かつ吐出口１４が映像光出口１２よりも下方に位置している場合、吐出口１４から排出された空気が、映像光出口１２上をよりスムーズに流れる。そのため、この場合には、映像光出口１２を覆っているガラス等の油煙等による汚濁をさらに抑制することが可能となる。
【００６１】
今回開示された実施形態はすべての点で例示であって、制限的なものではないと考えられるべきである。本発明の範囲は上記した実施形態ではなく特許請求の範囲によって示され、特許請求の範囲と均等の意味、及び範囲内でのすべての変更が含まれることが意図される。
【符号の説明】
【００６２】
１  フード本体、１ａ  下面、１ｂ  上面、１ｃ  第１側面、１ｄ  第２側面、１ｅ  第３側面、１ｆ  第４側面、１１  換気流路、１２  映像光出口、１３  吸入口、１３ａ  孔、１３ｂ  ガイド、１３ｃ  トラップ機構、１３ｃａ  流路、１３ｃｂ  第１部分、１３ｃｃ  第２部分、１３ｃｄ  第３部分、１４  吐出口、１５  冷却ファン、１６  突出部、２  加熱調理器具、３ａ  壁面、３ｂ  天井、４  整流板、５  プロジェクタ、５１  映像光、５２  発熱部、６  換気ファン、７  換気ダクト、８  フィルタ、９  冷却ダクト。
【図１】
2018105520.tif 000003
【図２】
2018105520.tif 000004
【図３】
2018105520.tif 000005
【図４】
2018105520.tif 000006
【図５】
2018105520.tif 000007
【図６】
2018105520.tif 000008
【図７】
2018105520.tif 000009
【図８】
2018105520.tif 000010
【図９】
2018105520.tif 000011